(57)【特許請求の範囲】
【請求項１】
載置面に載置して使用することが可能とされた情報コード読取装置であって、
所定の上下方向の一方側には、光の出入口となる読取口が形成された上面部が設けられ、前記上下方向の他方側には、前記載置面への載置時に当該載置面側に面する下面部が設けられてなる箱状のケースと、
前記ケースの内部に収容される撮像部と、
前記撮像部で撮像可能となる視野範囲を定めると共に、前記ケースの外部において前記視野範囲に情報コードが配置されたときに当該情報コードの像を前記撮像部に結像させる結像部と、
前記撮像部によって情報コードが撮像された場合に、当該情報コードの撮像画像を解析して読取処理を行う読取部と、
前記下面部において、前記ケースの外部からの操作が可能となるように配置された操作部と、
を備え、
前記ケースは、前記上面部と前記下面部との距離が前記上面部の短辺よりも短くなるように形成され、
前記撮像部及び前記読取部によってなされる情報コードの読み取り制御のモードを、前記操作部に対して所定操作がなされることを条件として情報コードの読み取りが行われる第１モードと、前記操作部に対する所定操作がなされなくても情報コードの読み取りが行われる第２モード、とに切り替え可能なモード切替部を有することを特徴とする情報コード読取装置。
【請求項２】
載置面に載置して使用することが可能とされた情報コード読取装置であって、
所定の上下方向の一方側には、光の出入口となる読取口が形成された上面部が設けられ、前記上下方向の他方側には、前記載置面への載置時に当該載置面側に面する下面部が設けられてなる箱状のケースと、
前記ケースの内部に収容される撮像部と、
前記撮像部で撮像可能となる視野範囲を定めると共に、前記ケースの外部において前記視野範囲に情報コードが配置されたときに当該情報コードの像を前記撮像部に結像させる結像部と、
前記撮像部によって情報コードが撮像された場合に、当該情報コードの撮像画像を解析して読取処理を行う読取部と、
前記ケースの外面部における前記上面部以外の位置において前記ケースの外部からの操作が可能となるように配置され、前記撮像部による撮像処理又は前記読取部による読取処理の少なくともいずれかの開始条件となるトリガボタンとして構成された操作部と、
を備え、
前記ケースは、前記上面部と前記下面部との距離が前記上面部の短辺よりも短くなるように形成され、
前記撮像部及び前記読取部によってなされる情報コードの読み取り制御のモードを、前記操作部に対して所定操作がなされることを条件として情報コードの読み取りが行われる第１モードと、前記操作部に対する所定操作がなされなくても情報コードの読み取りが行われる第２モード、とに切り替え可能なモード切替部を有することを特徴とする情報コード読取装置。
【請求項３】
前記操作部は、前記撮像部による撮像処理又は前記読取部による読取処理の少なくともいずれかの開始条件となるトリガボタンとして構成されていることを特徴とする請求項１に記載の情報コード読取装置。
【請求項４】
前記ケースの内部において前記読取口の下方側に配置されると共に、前記上下方向と直交する平面方向に対して傾斜して配置される反射面を備え、前記ケースの外部から前記読取口を介して入り込む光を前記反射面で反射させる反射部材を備え、
前記結像部は、前記ケースの外部から前記読取口を通過して入り込み且つ前記反射部材で反射した光を前記撮像部に導く構成をなしていることを特徴とする請求項１から請求項３のいずれか一項に記載の情報コード読取装置。
【請求項５】
前記ケースが前記載置面から離間した所定状態を検出するセンサ部を備え、
前記モード切替部は、前記センサ部によって前記所定状態が検出された場合に前記第１モードに切り替え、前記センサ部によって前記所定状態が検出されない場合に前記第２モードに切り替えることを特徴とする請求項１から請求項４のいずれか一項に記載の情報コード読取装置。
【請求項６】
前記ケースは、前記上下方向と直交する所定方向が長手方向とされ、前記長手方向において一対の第１側壁部が対向し、前記上下方向及び前記長手方向と直交する短手方向において一対の第２側壁部が対向しており、
前記操作部は、前記ケースの前記長手方向において、一対の前記第１側壁部の各々までの距離よりも前記長手方向における前記ケースの中心位置までの距離のほうが小さくなるように前記中心位置寄りに配置されており、且つ、一対の前記第２側壁部から離れた位置に配置されていることを特徴とする請求項１から請求項５のいずれか一項に記載の情報コード読取装置。
【請求項７】
一対の前記第１側壁部のいずれか一方側には、前記ケースの外側に延びる形でケーブルが配置されており、
前記操作部は、前記ケースの前記長手方向における前記中心位置よりも、一対の前記第１側壁部のいずれか他方側に寄って配置されていることを特徴とする請求項６に記載の情報コード読取装置。
【発明の詳細な説明】
【技術分野】
【０００１】
本発明は、据置型情報コード読取装置に関するものである。
【背景技術】
【０００２】
現在、バーコードやＱＲコード（登録商標）等の情報コードを読み取る情報コード読取装置が広く提供されており、店舗や事業所などでは載置式の読取装置も用いられている。この載置式の情報コード読取装置は、一般的に、ケースに読取口が形成され、ケースの内部には、受光センサなどからなる撮像部と、撮像部で撮像可能となる視野範囲を定めるための結像レンズとが設けられている。そして、ケース外に設定された視野範囲内で情報コードが読取口に向けて翳された場合には、その情報コードが撮像部によって撮像され、公知の解読方法で解読されるようになっている。
【先行技術文献】
【特許文献】
【０００３】
【特許文献１】特開平８−１２３８９１号公報
【発明の概要】
【発明が解決しようとする課題】
【０００４】
ところで、載置面に載置して用いることが想定された情報コード読取装置は、常に載置面に載置して用いることが望ましいわけではなく、場合によっては、装置を把持して用いたほうが良いこともある。例えば、載置面上に読取対象物が配置されており、その読取対象物を載置面から極力動かさずに読み取りを行いたいケースでは、読取対象物を持って読取装置に翳すよりも、読取装置側を読取対象物に向けて読み取った方が良い場合もある。或いは、載置面上に読取対象物が多数存在するようなケースでは、全ての読取対象物を順次翳して読み取らせるよりも、読取装置を把持して順番に読み取った方が良い場合もある。また、これらはあくまで一例であり、載置面に載置することが予定された読取装置でも、把持して用いるべき様々なケースが想定される。
【０００５】
しかしながら、既存の載置式の読取装置は、使用者が把持して用いることを全く想定していない構成であり、把持操作の際に必要となるボタンなどを全く考慮していない構成であった。このため、この種の読取装置では、使用者が敢えて把持操作を行うようなことはなく、この点で使用者の利便性を損ねていた。
【０００６】
本発明は、上述した課題を解決するためになされたものであり、載置面に載置した上での読み取りも、手で把持した上での読み取りも可能な構成であり、載置面に載置して使用するときには、上面側に情報コードを翳すような読み取り作業が行いやすく、装置を把持して使用するときには、操作部を用いての読み取り関連作業が行いやすい構成を提供することを目的とする。
【課題を解決するための手段】
【０００７】
第１の発明は、載置面に載置して使用することが可能とされた情報コード読取装置であって、
所定の上下方向の一方側には、光の出入口となる読取口が形成された上面部が設けられ、前記上下方向の他方側には、前記載置面への載置時に当該載置面側に面する下面部が設けられてなる箱状のケースと、
前記ケースの内部に収容される撮像部と、
前記撮像部で撮像可能となる視野範囲を定めると共に、前記ケースの外部において前記視野範囲に情報コードが配置されたときに当該情報コードの像を前記撮像部に結像させる結像部と、
前記撮像部によって情報コードが撮像された場合に、当該情報コードの撮像画像を解析して読取処理を行う読取部と、
前記下面部において、前記ケースの外部からの操作が可能となるように配置された操作部と、
を備え、
前記ケースは、前記上面部と前記下面部との距離が前記上面部の短辺よりも短くなるように形成され、
前記撮像部及び前記読取部によってなされる情報コードの読み取り制御のモードを、前記操作部に対して所定操作がなされることを条件として情報コードの読み取りが行われる第１モードと、前記操作部に対する所定操作がなされなくても情報コードの読み取りが行われる第２モード、とに切り替え可能なモード切替部を有することを特徴とする。
【０００８】
第２の発明は、載置面に載置して使用することが可能とされた情報コード読取装置であって、
所定の上下方向の一方側には、光の出入口となる読取口が形成された上面部が設けられ、前記上下方向の他方側には、前記載置面への載置時に当該載置面側に面する下面部が設けられてなる箱状のケースと、
前記ケースの内部に収容される撮像部と、
前記撮像部で撮像可能となる視野範囲を定めると共に、前記ケースの外部において前記視野範囲に情報コードが配置されたときに当該情報コードの像を前記撮像部に結像させる結像部と、
前記撮像部によって情報コードが撮像された場合に、当該情報コードの撮像画像を解析して読取処理を行う読取部と、
前記ケースの外面部における前記上面部以外の位置において前記ケースの外部からの操作が可能となるように配置され、前記撮像部による撮像処理又は前記読取部による読取処理の少なくともいずれかの開始条件となるトリガボタンとして構成された操作部と、
を備え、
前記ケースは、前記上面部と前記下面部との距離が前記上面部の短辺よりも短くなるように形成され、
前記撮像部及び前記読取部によってなされる情報コードの読み取り制御のモードを、前記操作部に対して所定操作がなされることを条件として情報コードの読み取りが行われる第１モードと、前記操作部に対する所定操作がなされなくても情報コードの読み取りが行われる第２モード、とに切り替え可能なモード切替部を有することを特徴とする。
【発明の効果】
【０００９】
請求項１の発明は、載置面に載置した上での読み取りも、手で把持した上での読み取りも可能な構成となっている。例えば、載置面に載置して使用するときには、上方側に読取口が配置されることになるため、上面側に情報コードを翳すような読み取り作業が行いやすくなる。また、ケース下面部において、ケースの外部からの操作が可能となるように操作部が配置されているため、装置を把持して使用するときには、把持しながら操作部を操作することが可能となり、操作部を用いての読み取り関連作業が行い易くなる。例えば、読取口を鉛直下方側に向けて読取関連作業を行う場合、鉛直上方側に配置された操作部に対して指で操作を行い易くなるため、操作部と関連付けた読取関連作業を効率的に行うことができる。なお、その他の把持姿勢の場合でも、同様の効果が得られる。
【００１０】
請求項２の発明は、載置面に載置した上での読み取りも、手で把持した上での読み取りも可能な構成となっている。例えば、載置面に載置して使用するときには、上方側に読取口が配置されることになるため、上面側に情報コードを翳すような読み取り作業が行いやすくなる。
また、ケースの外面部における上面部以外の位置においてケースの外部からの操作が可能となるようにトリガボタンが配置され、このトリガボタンは、撮像部による撮像処理又は読取部による読取処理の少なくともいずれかの開始条件となるように構成されている。このため、装置を把持して使用するときには、把持しながらのトリガ操作が可能となり、撮像処理又は読取処理の少なくともいずれかを、操作部に対するトリガ操作によって円滑に開始することができる。
特に、請求項１および請求項２の発明では、撮像部及び読取部によってなされる情報コードの読み取り制御のモードを、操作部に対して所定操作がなされることを条件として情報コードの読み取りが行われる第１モードと、操作部に対する所定操作がなされなくても情報コードの読み取りが行われる第２モード、とに切り替え可能なモード切替部を有する。
この構成によれば、モード切替部により、操作部を使用して読み取りを行うモード（第１モード）と、操作部を使用せずに読み取りを行うモード（第２モード）とを切り替えることができるため、操作部を使用するか否かを使用者に用途に合わせて切り替えることができる。
【００１１】
請求項３の発明では、操作部は、撮像部による撮像処理又は読取部による読取処理の少なくともいずれかの開始条件となるトリガボタンとして構成されている。この構成では、装置を把持して使用するときには、把持しながらのトリガ操作が可能となり、撮像処理又は読取処理の少なくともいずれかを、操作部に対するトリガ操作によって円滑に開始することができる。
【００１２】
請求項４の発明では、ケースの内部において読取口の下方側に配置されると共に、上下方向と直交する平面方向に対して傾斜して配置される反射面を備え、ケースの外部から読取口を介して入り込む光を反射面で反射させる反射部材を備え、結像部は、ケースの外部から読取口を通過して入り込み且つ反射部材で反射した光を撮像部に導く構成をなしている。
このように、ケース内に反射部材を介在させ、結像部からケース外まで続く視野範囲の経路（即ち、読取口から入り込んだ光を結像部に導く経路）をケース内において折れ曲がるように構成することで、ケースの厚さをそれほど大きくしなくても、光学系から読取口までの距離（読取口から入り込んだ光が結像部に入り込むまでの経路の長さ）を大きく確保しやすくなる。これにより、読取口付近の視野範囲をより大きく確保しつつ、ケースの厚さを低減して小サイズ化を図ることができる。そして、このように小サイズ化を図ることで、把持しながらの操作をより行い易くすることができる。例えば、細かな位置合わせの操作や狭い場所での作業などが非常に行い易くなる。更には、ケースが薄型化されるため、厚さが大きい構成と比較して装置が把持しやすく、且つ操作部に対する操作も行い易くなる。
【００１４】
請求項５の発明は、ケースが載置面から離間した所定状態を検出するセンサ部を備え、モード切替部は、センサ部によって所定状態が検出された場合に第１モードに切り替え、センサ部によって所定状態が検出されない場合に第２モードに切り替える構成となっている。
この構成では、使用者によってケースが把持され、ケースが載置面から離間した場合には、その状態をセンサ部によって検出し、モード切替部によって自動的に第１モード（操作部に対して所定操作がなされることを条件として情報コードの読み取りが行われるモード）に切り替えることができる。よって、使用者がケースを把持して読み取りを行う場合には、複雑な操作をなるべく強いることなく、操作部を使用して読み取りを行う方式で運用することができる。
また、使用者によってケースが把持されず、ケースが載置面に載置されている場合には、モード切替部によって自動的に第２モード（操作部に対する所定操作がなされなくても情報コードの読み取りが行われる）に切り替えることができる。よって、使用者がケースを把持せずに載置状態で読み取りを行う場合には、複雑な操作をなるべく強いることなく、操作部を使用しない方式で運用することができる。
【００１５】
請求項６の発明では、ケースは、上下方向と直交する所定方向が長手方向とされ、長手方向において一対の第１側壁部が対向し、上下方向及び長手方向と直交する短手方向において一対の第２側壁部が対向しており、操作部は、ケースの長手方向において、一対の第１側壁部の各々までの距離よりも長手方向におけるケースの中心位置までの距離のほうが小さくなるように中心位置寄りに配置されており、且つ、一対の第２側壁部から離れた位置に配置されている。
このように構成すると、ケースの短手方向両端部を挟み込むようにケースを掴んだとき（例えば、一方の第２側壁部を親指で受け、他方の第２側壁部を中指、薬指、小指などで受けるように掴んだとき）に、掴むことに用いていない指（例えば人差し指）で操作部を操作しやすい位置関係となる。
【００１６】
請求項７の発明は、一対の第１側壁部のいずれか一方側において、ケースの外側に延びる形でケーブルが配置されており、操作部は、ケースの長手方向における中心位置よりも、一対の第１側壁部のいずれか他方側に寄って配置されている。
この構成では、ケースの短手方向両端部を挟み込み且つケーブルが手首側に配置されるようにケースを掴んだときに、掴むことに用いていない指（例えば人差し指）で操作部を操作しやすい位置関係となる。つまり、ケーブルが極力邪魔になりにくい把持状態のときに、操作部を指で操作しやすくなる。
【図面の簡単な説明】
【００１７】
【図１】図１は、第１実施形態に係る据置型情報コード読取装置を概略的に示す斜視図である。
【図２】図２は、図１の据置型情報コード読取装置を図１とは異なる方向から見た斜視図である。
【図３】図３は、図１の据置型情報コード読取装置の平面図である。
【図４】図４は、図３のＡ−Ａ断面を概略的に示す断面概略図である。
【図５】図５は、図４のＢ−Ｂ断面を概略的に示す断面概略図である。
【図６】図６は、図４のＣ−Ｃ断面を概略的に示す断面概略図である。
【図７】図７は、図４のＤ−Ｄ断面を概略的に示す断面概略図である。
【図８】図８は、図４のＥ−Ｅ断面を概略的に示す断面概略図である。
【図９】図９は、図１の据置型情報コード読取装置の電気的構成を概略的に例示するブロック図である。
【図１０】図１０は、図１の据置型情報コード読取装置で構成される高照度領域等を説明する説明図である。
【図１１】図１１は、第１実施形態に係る据置型情報コード読取装置における読取口、反射部材、結像部、撮像部等の関係を概略的に示す概略図である。
【図１２】図１２は、第１実施形態に係る据置型情報コード読取装置を裏返して把持しつつ操作する様子を例示する説明図である。
【図１３】図１３は、第１実施形態に係る据置型情報コード読取装置を裏返して把持しつつ操作する様子を、図１２とは異なる角度から示す説明図である。
【図１４】図１４は、第１実施形態に係る据置型情報コード読取装置の底面構造を説明する説明図である。
【発明を実施するための形態】
【００１８】
[第１実施形態]
以下、本発明の光学的情報読取装置を具現化した第１実施形態について、図面を参照して説明する。
（光学的情報読取装置の全体構成）
図１〜図３等に示す据置型情報コード読取装置１（以下、単に読取装置１ともいう）は、机や棚などの上面を載置面（図４、図５の載置面Ｆを参照）としてこの載置面上に載置される据置型装置として構成されており、バーコード等の一次元コードやＱＲコード（登録商標）等の二次元コードなど情報コードを読み取る情報コードリーダとしての機能を有している。
【００１９】
読取装置１は、例えばＡＢＳ樹脂等の樹脂材料によって構成されるケース３を備えている。このケース３は、図４〜図６等に示すように、上ケース４ａと下ケース４ｂと備えており、全体として箱状に構成されている。そして、ケース３の内部には、後述する反射部材２９、結像部２７、撮像部２３、導光部材５０などの各部品が収容されている。また、図３等に示すように、ケース３において、所定の上下方向の一方側に設けられた上面部（読取側壁部３ａ）には光の出入口となる読取口５が形成されており、読取口５を介してケース３の外部からの光がケース３の内部に入り込み、ケース３の内部からの光がケース３の外部に放出されるようになっている。そして、反射部材２９、結像部２７、撮像部２３によって構成される光学系は、この読取口５を介してケース３の外部に配置された情報コードＣ（図９）を撮像するように機能している。
【００２０】
図４、図５等に示すように、箱状に構成されるケース３には、据置型情報コード読取装置１を載置するときの載置面側（図４の例では載置面Ｆ側）に設けられる底壁部３ｂと、読取口５が形成された読取側壁部３ａとが対向して設けられている。そして、底壁部３ｂは、載置面Ｆ側に面すると共に、載置面Ｆと対向して配置され、更には、載置面Ｆによって支持されるように配置される。そして、この底壁部３ｂと対向する読取側壁部３ａが、情報コードＣを翳す側の露出壁部として構成されている。なお、本構成では、底壁部３ｂと読取側壁部３ａとの対向方向（即ち、ケース３の厚さ方向であり、図２に示す載置面Ｆと直交する方向）を上下方向とし、読取口５が形成された側（読取側壁部３ａ側）を上方側、それとは反対側（底壁部３ｂ側）を下方側としている。また、この上下方向と直交する平面方向を水平方向としている。なお、プレート７の厚さ方向も上下方向となっており、後述する第２視野範囲ＡＲ２の光軸Ｌ２の方向も上下方向となっている。
【００２１】
図４〜図６等に示すように、ケース３の上面側には、上ケース４ａの上端部に形成された開口部４ｃを閉じる構成でケース３を閉塞するように配置され、少なくとも一部が視野範囲に配置されるプレート７が配置されている。このプレート７は、所定の厚さの平坦な板として構成され、ケース３の外部からの光が透過可能となる光透過性の部材（例えば、透明なアクリル樹脂や透明ガラス等）によって構成されている。このプレート７は、防塵プレートとして機能しており、このようなプレート７が上ケース４ａに形成された開口部４ｃを閉塞することで、ケース３の内部にケース外からの異物（塵や埃など）が入り込みにくくなっている。また、プレート７の上面部を部分的に覆う構成で光遮光性の塗料などからなる被覆層８が形成されている。この被覆層８は、プレート７の周縁部に沿って環状に形成されており、被覆層８の内縁部によって構成される開口部が読取口５となっている。
【００２２】
次に、読取装置１の電気的構成について説明する。図９に示すように、読取装置１は、主に、照明光源２１、結像部２７、撮像部２３等の光学系と、メモリ３５、制御回路４０等のマイクロコンピュータ（以下「マイコン」という）系と、図示しない電源部、電源スイッチ等の電源系とを備えている。
【００２３】
光学系は、投光光学系と、受光光学系とに分かれている。投光光学系を構成する照明光源２１は、照明光を照射可能な光源として機能するものであり、例えば、ＬＥＤなどによって構成されている。この照明光源２１は、図３等に示すように、ケース３の長手方向一方側に配置される第１光源２１ａ，２１ｂと、ケース３の長手方向他方側に配置される第２光源２１ｃ，２１ｄとを備えており、第１光源２１ａ，２１ｂ及び第２光源２１ｃ，２１ｄのそれぞれがＬＥＤなどの投光素子として構成され、横向きに照明光を照射する機能を有している。
【００２４】
図１〜図８等に示すように、投光光学系は、照明光源２１からの光を導く導光部材５０を備えている。この導光部材５０は、ケース３の内部において照明光源２１からの照明光が照射される位置に配置され、照明光源２１からの照明光が読取口５の開口領域γ（図４等参照）を通ってケース３の外部に照射されるように導く構成となっている。なお、導光部材５０の詳細は後述する。
【００２５】
図９に示すように、受光光学系は、撮像部２３、結像部２７、反射部材２９などによって構成されている。
撮像部２３は、例えばＣＣＤ素子やＣＭＯＳ素子などの固体撮像素子（受光素子）が二次元的に配列された受光センサ（エリアセンサ）などによって構成されており、図４、図９等に示すように、結像部２７側にケース外からの光を受光し得る受光面２３ａが配置されている。この撮像部２３は、反射部材２９で反射された光が結像部２７を通過して受光面２３ａに入り込もうとする入射光を受光し得るように基板に実装されている。そして、例えば、図９のように、情報コードＣが示された読取対象物Ｒが視野範囲内（具体的には、第２視野範囲ＡＲ２におけるケース外の領域）に配置されたときに、この情報コードＣ及び読取対象物Ｒに照射されて反射した反射光Ｌｒ（図９参照）を受光する構成となっている。また、撮像部２３は、受光面２３ａにおいて光を検出しうる領域（固体撮像素子が配置された領域）が「所定の受光領域」として設定されており、図４等では、撮像部２３における受光領域の範囲を符号Ｄ１にて概念的に示している。即ち、受光面２３ａにおいて範囲Ｄ１に入射する光が撮像部２３に検出されるようになっている。なお、図４等に示す例では、撮像部２３における受光領域の範囲は、例えば受光面２３ａにおいて光軸Ｌ１を中心とする上下方向所定範囲となっており、且つ光軸Ｌ１を中心とする左右方向（幅方向）所定範囲となっている。なお、図４等に示す例では、受光面２３ａが前後方向とほぼ直交して配置されている。
【００２６】
図４、図９等に示す結像部２７は、公知の結像レンズによって構成され、結像光学系として機能しており、図４に示すように、撮像部２３で撮像可能となる視野範囲を定めると共に、ケース３の外部から読取口５を通過して入り込み且つ反射部材２９で反射した光を撮像部２３に導く構成をなし、ケース３の外部において視野範囲に情報コードＣが配置されたときに当該情報コードＣの像を撮像部２３に結像させるように機能する。本構成では、図１０等に示すように照明光源２１から照射され、導光部材５０によってケース外に導かれた照明光を情報コードＣに当てながら当該情報コードＣを撮像し得るようになっており、図４、図９等に示す結像部２７は、情報コードＣが視野範囲内（撮像エリア内）に配置されたときに、この情報コードＣからの反射光Ｌｒを集光し、撮像部２３の受光面２３ａに情報コードＣの像を結像させるように構成されている。なお、結像部２７としては、例えば、焦点距離が短く画角の広い広角レンズを好適に用いることができる。
【００２７】
図９で示すように、マイコン系は、増幅回路３１、Ａ／Ｄ変換回路３４、メモリ３５、アドレス発生回路３６、同期信号発生回路３８、制御回路４０等によって構成されており、例えば上述した光学系によって撮像された情報コードＣの画像信号を信号処理するように構成されている。具体的には、視野範囲内に配置された情報コードＣが撮像部２３によって撮像されたときの画像データをメモリ３５に記憶可能に構成されており、制御回路４０は、このような情報コードＣの画像データを解析し、当該情報コードＣに記録されたデータを公知の解読方法で解読するように構成されている。なお、制御回路４０は、解読部の一例に相当し、視野範囲内に配置された情報コードＣが撮像部２３によって撮像された場合に、この情報コードＣのコード画像を公知のデコード方法で解読するように機能する。
【００２８】
また、図９のように、読取装置１には押圧ボタンとして構成された操作部１００が設けられている。この操作部１００は、例えば、ユーザが操作部１００を押圧操作したときにその操作に応じた信号を制御回路４０に入力するように構成されている。
【００２９】
また、図９のように、読取装置１には、センサ部４２が設けられている。このセンサ部４２は、ケース３の底壁部３ｂ（下面部）が載置面に接近したか否かを検出するセンサであり、例えば、近接センサや接触センサなどによって構成されている。この構成では、ケース３が載置面に載置されているときには、センサ部４２から検出信号が出力され、ケース３が載置面に載置されてないときには、センサ部４２から非検出信号が出力されるようになっている。
【００３０】
なお、図９では、図示はしていないが、読取装置１には、公知の通信インタフェースが設けられていてもよく、この構成では、読取装置１から図示しない外部装置に情報を送信したり、読取装置１が外部装置から情報を受信したりすることが可能となる。また、ランプや表示装置などの表示部が設けられていてもよい。
【００３１】
読取対象となる情報コードＣとしては、例えばＱＲコード（登録商標）などが挙げられ、公知のコードであれば、データマトリックスコードやマキシコードなどの他の二次元コードであってもよい。或いは、バーコードなどの公知の一次元コードであってもよい。また、読取対象となる情報コードＣの形成方法は特に限定されず、印刷、ダイレクトマーキング、画像表示など様々な方法が想定される。また、読取対象物Ｒ（図９）の材質や構造も様々であり、金属材料、樹脂材料、紙など、様々な材料が対象となり、携帯端末（携帯電話機やスマートフォンなどの携帯型情報処理装置）やその他の情報処理装置などであってもよい。
【００３２】
（撮像構造）
次に、撮像構造等について詳述する。
本構成では、ケース３の内部に反射部材２９、結像部２７、撮像部２３、照明光源２１、導光部材５０が収容されている。以下では、これら反射部材２９、結像部２７、撮像部２３、照明光源２１、導光部材５０等についてより詳細に説明する。
【００３３】
なお、本明細書では、上下方向と直交する平面方向（水平方向）において、ケース３の長手方向を幅方向（左右方向）とし、その平面方向（水平方向）においてケース３の短手方向（上下方向及び幅方向と直交する方向）を前後方向とする。
【００３４】
図４〜図６等に示すように、本構成では、ケース３の上面部（上壁部）として、板状のプレート７が配置されており、このプレート７が読取側壁部３ａに相当している。図３のように読取装置１を平面視したときのプレート７の長手方向中央部及び短手方向中央部には、略矩形状の読取口５が形成されている。読取口５は、図３のように平面視したときに、当該読取口５の開口領域γ（図３に示す境界線Ｐ３の内側の領域であり、図４も参照）に反射部材２９の反射領域（反射面の領域）が全て収まるようなサイズ及び位置で形成されている。即ち、幅方向において、読取口５の幅方向一端部５ａと幅方向他端部５ｂとの間に反射部材２９の幅方向一端部と他端部が配置され、前後方向において、読取口５の前後方向一端部５ｃと前後方向他端部５ｄとの間に反射部材２９の前後方向一端部と他端部が配置されている。なお、読取口５の幅方向一端部５ａと幅方向他端部５ｂの縁部は、いずれも角部以外のほぼ全体が前後方向に直線状に延びており、読取口５の前後方向一端部５ｃと前後方向他端部５ｄは角部以外のほぼ全体がいずれも幅方向（左右方向）に直線状に延びている。
【００３５】
図４〜図６等に示すように、ケース３の底壁部３ｂは、ケース３の下面部として板状に構成されており、読取装置１が載置面Ｆに載置されるときに、当該底壁部３ｂの下面側が載置面Ｆに支持される構成となっている。この底壁部３ｂは、厚さ方向を上下方向とする構成で外面（下面）の大部分が略平坦面として構成されている。そして、箱状に構成されるケース３の底として機能している。なお、読取側壁部３ａ（上面部）と底壁部３ｂ（下面部）との間には、ケース３内の収容空間（反射部材２９、結像部２７、撮像部２３などが収容される空間）の周囲を取り囲むように側壁部３ｃが設けられている。この側壁部３ｃは、幅方向両側に配置される一対の側壁と、前後方向両側に配置される一対の側壁とを備えており、これら四方の側壁が環状に連結して配置されている。このように環状に配置された側壁部３ｃ（周壁部）の上側を部分的に閉塞する構成で読取側壁部３ａ（上面部）に相当するプレート７が配置され、側壁部３ｃの下側全体を閉塞する構成で底壁部３ｂ（下面部）が配置されている。
【００３６】
図４〜図８等に示すように、プレート７は、上ケース４ａの上端部に形成された開口部を閉塞する構成で配置され、ケース３の上面部を構成しており、ケース３の内部に収容される反射部材２９、結像部２７、導光部材５０の上側を覆う構成で配置されている。そして、図３のように平面視したときには、プレート７の露出部分（図３で概念的に示す境界線Ｐ３の内側の領域である開口領域γ（図４）の部分）を介してケース内の反射部材２９、結像部２７、導光部材５０が視認されるようになっている。プレート７は、透明且つ平坦な板材として構成され、その板面（上面７ａ及び下面７ｂ）と直交する方向が上下方向となるように略水平に配置されている。なお、プレート７は、透明部材の一例に相当し、被覆層８の内周部として構成される読取口５を閉塞するように機能する。つまり、読取口５は、光の出入りを許容する構成であるが、プレート７の閉塞によって水や埃等の侵入を許容しない構成となっている。
【００３７】
反射部材２９は、例えばミラーとして構成され、ケース３の内部において読取口５の下方側に配置され、上下方向と直交する平面方向に対して傾斜して配置される反射面２９ａを備え、ケース３の外部から読取口５を介して入り込む光を反射面２９ａで反射させるように機能する。この反射部材２９は、反射面２９ａ（鏡面）が斜め上側且つ前後方向一方側を向く構成で配置されており、ケース３の上方側から読取口５を通って入り込んだ光を前後方向一方側に反射するように構成されている。より具体的には、反射面２９ａが平坦に構成され、この反射面２９ａが、上下方向及び前後方向と平行な仮想平面と直交するように配置されており、例えば上下方向と平行に入り込んだ光を水平に反射するように、上下方向とのなす角度、及び水平方向（上下方向と直交する平面方向）とのなす角度が４５°となるように配置されている。なお、本構成では、反射部材２９の上側の外面のうち、上方からの光を反射し得るように露出して配置される面が反射面２９ａに相当し、反射面２９ａの上端部２９ｃは、プレート７からやや離れて配置されている。
【００３８】
また、反射部材２９の反射面２９ａの上端部２９ｃは、上下方向においてケース３の上下方向の中心よりもケース上端寄りに配置され、反射部材２９の反射面２９ａの下端部２９ｄは、上下方向において底壁部３ｂ寄りに配置されている。また、反射部材２９の反射面２９ａは、下端部２９ｄの幅が最も狭く、上端部２９ｃの幅が最も広くなるように、上方となるにつれて幅が広くなる構成となっている。
【００３９】
結像部２７は、上述したように広角レンズとして機能する結像レンズによって構成され、図４、図６、図７等に示すようにプレート７から離れた位置（より詳しくは、ケース３の上下方向中心位置よりも下方寄りの位置且つ反射面２９ａの側方の位置）に配置されている。この結像部２７は、ケース３の外部から読取口５を通過して入り込み且つ反射部材２９で反射した光を撮像部２３に導く機能を有し、ケース３の内外において撮像部２３で撮像可能となる視野範囲を定める構成となっている。具体的には、図４に示すように、視野範囲として、当該結像部２７と反射部材２９との間に構成される第１視野範囲ＡＲ１と、当該第１視野範囲ＡＲ１に続くように反射部材２９から上方側に構成される第２視野範囲ＡＲ２とを定めている。つまり、この第１視野範囲ＡＲ１及び第２視野範囲ＡＲ２を撮像エリアとするように、視野範囲からの光を撮像部２３の受光領域に向けて集光し結像させている。なお、第１視野範囲ＡＲ１は、結像部２７によって集光されて直接撮像部２３に撮像される視野範囲であり、第２視野範囲ＡＲ２は、反射部材２９に映り込んだ画像が撮像部２３に撮像される視野範囲である。そして、ケース３の外部に設定された第２視野範囲ＡＲ２内に情報コードＣが配置されたときに当該情報コードＣの像を撮像部２３の受光領域に結像させるように機能している。
【００４０】
図４に示す第１視野範囲ＡＲ１は、結像部２７と反射部材２９との間の空間において撮像部２３によって撮像される範囲であり、反射部材２９に近づくにつれて徐々に広くなるように設定されている。また、第１視野範囲ＡＲ１の中心となる第１光軸Ｌ１は、水平方向（具体的には、前後方向）となっており、反射面２９ａとのなす角度が４５°となっている。そして、図４のように、第１光軸Ｌ１を通り上下方向と平行な平面を切断面として読取装置１を切断した場合、当該切断面上において第１視野範囲ＡＲ１が上下に最も広がるようになっている。そして、図４に示す切断面（光軸Ｌ１を通り上下方向と平行な切断面）では、第１視野範囲ＡＲ１の下限の境界は、反射部材２９に近づくにつれて低位置（下位置）となり、第１視野範囲ＡＲ１の上限の境界は、反射部材２９に近づくにつれて高位置（上位置）となるように構成されている。そして、図４に示す切断面（図３に示すＡ−Ａ位置の切断面であり、読取装置１を左右方向中心位置において左右方向と直交する方向に切断した切断面）において、第１視野範囲ＡＲ１の下限の境界が反射部材２９の反射面２９ａに達した位置（その境界と反射面２９ａとが交わる位置）が第１視野範囲ＡＲ１の下端位置となっている。また、第１視野範囲ＡＲ１の上限の境界は、反射部材２９の反射面２９ａの上端部２９ｃよりもやや上位置（具体的には、上端部２９ｃの上方に配置される反射部５１の外面と交わる位置）となっている。
【００４１】
図４のように、本構成では、反射部材２９の反射領域（反射面２９ａが露出した領域）が、少なくとも第１視野範囲ＡＲ１の下端に位置しており、第１視野範囲ＡＲ１の下端から上端付近まで続いている。つまり、反射部材２９は、図４のような切断面において第１視野範囲ＡＲ１の上下方向の大部分の領域を網羅するように反射面２９ａが配置されている。そして、撮像部２３の受光領域に、反射面２９ａの全領域又は大部分の領域が映り込むように配置されている。
【００４２】
第２視野範囲ＡＲ２は、上述の第１視野範囲ＡＲ１のうちの反射面２９ａに達する領域に続くように反射面２９ａにて折り返された視野範囲であり、この第２視野範囲ＡＲ２に存在する物体等が反射部材２９に映り、撮像部２３によって撮像されるようになっている。逆に、第２視野範囲ＡＲ２の外側は、第１視野範囲ＡＲ１を除き、撮像部２３に撮像されないようになっている。
【００４３】
本構成では、反射面２９ａが水平方向に対して例えば４５度の角度で傾斜し、反射部材２９に対し、前後方向一方側に結像部２７が配置されており、第１視野範囲ＡＲ１の第１光軸Ｌ１が前後に延びる構成で水平となっている。従って、第２視野範囲ＡＲ２の中心となる第２光軸Ｌ２は上下方向に延びている。そして、第１視野範囲ＡＲ１に続くように反射部材２９にて折り返された第２視野範囲ＡＲ２は、上方となるにつれて範囲が広くなるように設定されており、図４のような断面（光軸Ｌ１、Ｌ２を通る断面）では、上方となるにつれて第２視野範囲ＡＲ２が前後に広がるようになっている。
【００４４】
具体的には、第２光軸Ｌ２を中心として上方となるにつれて前後に範囲が広くなるように第２視野範囲ＡＲ２が設定されており、同様に、第２光軸Ｌ２を中心として上方となるにつれて左右に範囲が広くなるように第２視野範囲ＡＲ２が設定されている。そして、結像部２７は、第２視野範囲ＡＲ２から外れた位置に配置されている。即ち、第２視野範囲ＡＲ２の前後方向一方側の境界Ｂ１よりも前後方向一方側に外れた位置に結像部２７が配置されている。このように結像部２７の一部が第２視野範囲ＡＲ２に入り込まないように構成されているため、結像部２７の一部が反射部材２９に映り込んで撮像部２３に撮像されてしまうことがなく、このような映り込みに起因する撮像エリアの縮小が抑えられている。また、図４のように、結像部２７のレンズ部分は、反射部材２９の反射面２９ａ（反射領域）の下端部２９ｂよりも上位置に配置され、反射面２９ａの上端部２９ｃよりも下位置に配置されており、更に、結像部２７の前後方向の一端部（反射部材２９側の端部）は、前後方向において、読取口５の前後方向他端部５ｄと第２光軸Ｌ２との間に配置されている。このように配置することで、結像部２７の映り込みを防ぎつつ、読取口５の下方側の領域を生かすことができる。
【００４５】
また、図４に示すように、第１視野範囲ＡＲ１の中心となる第１光軸Ｌ１及び第２視野範囲ＡＲ２の中心となる第２光軸Ｌ２を通る平面を切断面とした断面において、第２視野範囲ＡＲ２の両境界Ｂ１、Ｂ２が読取口５の内周部５ｆの位置又は内周部５ｆ寄りの近接位置を通る構成となっている。なお、図４の例では、第２視野範囲ＡＲ２の前後方向一方側の境界Ｂ１と前後方向他方側の境界Ｂ２とがいずれも、読取口５の内周部５ｆよりも内側を通るようになっているが、これら境界Ｂ１、Ｂ２がいずれも内周部５ｆを通る構成となっていてもよい。
【００４６】
次に、照明光源２１について説明する。図３、図４、図６、図８に示すように、照明光源２１は、上下方向と直交する平面方向において開口領域γ（図３に示す境界線Ｐ３の内側領域）の外側の位置に配置されている。なお、境界線Ｐ３は、平面方向における開口領域γの境界を概念的に示すものであり、実際は、読取口５の内縁が開口領域γの境界となる。照明光源２１は、ケース３の長手方向一端寄り（幅方向一端寄り）に配置された第１光源２１ａ，２１ｂと、ケース３の長手方向他端寄り（幅方向他端寄り）に配置された第２光源２１ｃ，２１ｄとを有している。これら第１光源２１ａ，２１ｂ及び第２光源２１ｃ，２１ｄはいずれも、プレート７の板面に形成された被覆層８の下方に配置されており、図６、図８のように、第１光源２１ａ，２１ｂ及び第２光源２１ｃ，２１ｄのいずれも、この被覆層８の下位置に配置される基板（基板９１，９２，９３，９４）の下面側に実装されている。なお、基板９１と基板９２は同一基板であってもよく、別々の基板であってもよい。また、基板９３と基板９４は同一基板であってもよく、別々の基板であってもよい。
【００４７】
図４、図６、図８に示すように、第１光源２１ａ，２１ｂ及び第２光源２１ｃ，２１ｄはいずれも、上下方向において、プレート７よりも下方位置且つ後述する導光部材５０の上端位置付近に配置されており、図３のように、平面方向において開口領域γ（境界線Ｐ３の内側領域）から外側に離れた位置に配置されている。そして、第１光源２１ａ，２１ｂ及び第２光源２１ｃ，２１ｄのいずれも、上下方向と直交する横方向（水平方向）及び横方向に対して傾斜した斜め横方向に照明光が照射されるように開口領域γに近づく側に照明光を照射する構成となっている。例えば、図６、図８のように、左右方向（幅方向）一方側に配置された第１光源２１ａ，２１ｂの照射面（発光面）は、これら第１光源２１ａ，２１ｂの側面に相当すると共に左右方向他方側（第２光源２１ｃ，２１ｄ側）に向くように配置され、これら第１光源２１ａ，２１ｂからは、左右方向他方側に向けて照明光が照射されるようになっている。また、左右方向（幅方向）他方側に配置された第２光源２１ｃ，２１ｄの照射面（発光面）は、これら第２光源２１ｃ，２１ｄの側面に相当すると共に左右方向一方側（第１光源２１ａ，２１ｂ側）に向くように配置され、これら第２光源２１ｃ，２１ｄからは、左右方向一方側に向けて照明光が照射されるようになっている。なお、第１光源２１ａ，２１ｂ及び第２光源２１ｃ，２１ｄの照射面となる各側面は、例えば、幅方向と直交する面方向となっており、全ての第１光源２１ａ，２１ｂ及び第２光源２１ｃ，２１ｄの照射面の上下方向の高さは、ほぼ同じ高さになっている。
【００４８】
また、上下方向において照明光源２１と読取口５の間の位置には、少なくとも照明光源２１からの照明光の照射側において照明光源２１の位置から平面方向に沿って読取口５側（第２視野範囲ＡＲ２側）に延びる構成の遮光部（遮光部９１ａ，９２ａ，９３ａ，９４ａ）が配置されている。そして、これら遮光部９１ａ，９２ａ，９３ａ，９４ａにより、照明光源２１から斜め上方側に向かおうとする照明光が遮られる構成となっている。
【００４９】
例えば、図６のように、平面方向において第１光源２１ａと読取口５の間の位置には、少なくとも第１光源２１ａからの照明光の照射側（幅方向における第２光源２１ｃ側）に、第１光源２１ａの位置から平面方向に延びるように遮光部９１ａが配置されている。この遮光部９１ａは、第１光源２１ａが実装される基板９１において第１光源２１ａよりも開口領域γ側（平面方向において開口領域γに近い側）の部分が該当する。そして、この遮光部９１ａにより、第１光源２１ａを起点として斜め上側に向かおうとする光が遮られるようになっている。なお、図６等に示す例では、基板９１、９２、９３、９４は、厚さ方向を上下方向とし、板面方向を水平方向（上下方向と直交する面方向）とするように構成され、基板９１、９２、９３、９４のそれぞれの下面（裏面）に発光素子として構成される第１光源２１ａ、２１ｂ、第２光源２１ｃ、２１ｄがそれぞれ実装されている。そして、例えば、基板９１では、第１光源２１ａの実装面（基板９１の下面）が、少なくとも平面方向において第１光源２１ａの位置から開口領域γに近い側（第２視野範囲ＡＲ２の光軸Ｌ２に近い側）の延びるように配置されている。このように構成されているため、第１光源２１ａから照射された直後の光が斜め上方側に向かおうとしても遮光部９１ａで遮られて多くが下方に反射することになり、第１光源２１ａからの光の多くは、第１光源２１ａよりも斜め上方側に向かいにくくなる。その結果、第１光源２１ａからの光の多くは、水平方向及び斜め下方向に照射されることになる。同様に、図８のように、平面方向において第１光源２１ｂと読取口５の間の位置には、少なくとも第１光源２１ｂからの照明光の照射側において第１光源２１ｂの位置から平面方向に延びるように（具体的には平面方向において読取口５側に延びるように）遮光部９２ａが配置されている。この遮光部９２ａは、第１光源２１ｂが実装される基板９２において第１光源２１ｂよりも開口領域γ側（平面方向において開口領域γに近い側）の部分が該当し、この遮光部９２ａにより、第１光源２１ｂを起点として斜め上側に向かおうとする光が遮られるようになっている。より具体的には、第１光源２１ｂの実装面（基板９２の下面）が、少なくとも平面方向において第１光源２１ｂの位置から開口領域γに近い側（第２視野範囲ＡＲ２の光軸Ｌ２に近い側）の延びるように配置されている。これにより、第１光源２１ｂからの光の多くは、水平方向及び斜め下方向に照射されることになる。なお、図８の説明図では、第１光源２１ｂから照射される光を省略して示している。
【００５０】
また、図６のように、平面方向において第２光源２１ｃと読取口５の間の位置には、少なくとも第２光源２１ｃからの照明光の照射側において第２光源２１ｃの位置から平面方向に延びるように（具体的には平面方向において読取口５側に延びるように）遮光部９３ａが配置されている。この遮光部９３ａは、第２光源２１ｃが実装される基板９３において第２光源２１ｃよりも開口領域γ側（平面方向において開口領域γに近い側）の部分が該当し、この遮光部９３ａにより、第２光源２１ｃを起点として斜め上側に向かおうとする光が遮られるようになっている。より具体的には、第２光源２１ｃの実装面（基板９３の下面）が、少なくとも平面方向において第２光源２１ｃの位置から開口領域γに近い側（第２視野範囲ＡＲ２の光軸Ｌ２に近い側）の延びるように配置されている。これにより、第２光源２１ｃからの光の多くは、水平方向及び斜め下方向に照射されることになる。なお、図６の説明図では、第２光源２１ｃから照射される光を省略して示している。同様に、図８のように、平面方向において第２光源２１ｄと読取口５の間の位置には、少なくとも第２光源２１ｄからの照明光の照射側において第２光源２１ｄの位置から平面方向に延びるように（具体的には平面方向において読取口５側に延びるように）遮光部９４ａが配置されている。この遮光部９４ａは、第２光源２１ｄが実装される基板９４において第２光源２１ｄよりも開口領域γ側（平面方向において開口領域γに近い側）の部分が該当し、この遮光部９４ａにより、第２光源２１ｄを起点として斜め上側に向かおうとする光が遮られるようになっている。より具体的には、第２光源２１ｄの実装面（基板９４の下面）が、少なくとも平面方向において第２光源２１ｄの位置から開口領域γに近い側（第２視野範囲ＡＲ２の光軸Ｌ２に近い側）の延びるように配置されている。これにより、第２光源２１ｄからの光の多くは、水平方向及び斜め下方向に照射されることになる。このように構成されているため、各照明光源２１からの光が直接使用者の目に入り込みにくく、且つ各照明光源２１からの光を後述する導光部材５０に効率的に当てやすくなる。
【００５１】
そして、これらの照明光源２１による照明光の照射先には、導光部材５０が配置されている。図１０で例示されるように、導光部材５０は、読取口５の開口領域γ（図１０に示す境界線Ｐ３の内側領域）において、視野範囲の中心部Ｐ１を通る照明光の照度よりも、視野範囲内の周縁部寄りに定められた所定の高照度領域βを通る照明光の照度のほうが大きくなるように照明光を導く構成となっている。なお、図４、図１０の例では、プレート７の上面の位置において読取口５の内縁部によって囲まれる領域（プレート７の上面において読取口５から露出する領域）が開口領域γに相当している。そして、図１０の例では、この開口領域γにおいて視野範囲の周縁部に沿った環状領域が高照度領域βとなっており、この高照度領域βをハッチングで概念的に示している。
【００５２】
導光部材５０は、照明光源２１からの照明光を反射する複数の反射部５１，５２，５３，５４を備えている。これら反射部５１，５２，５３，５４はいずれも、第２視野範囲ＡＲ２側の面が、照明光源２１からの照明光を反射する反射面として構成されている。そして、各反射部５１，５２，５３，５４の各反射面はいずれも、上下方向と直交する平面方向において、読取口５の開口領域γにおける視野範囲の中心部Ｐ１の位置（即ち、プレート７と光軸Ｌ２が交わる位置）に近づくにつれて下位置となる傾斜面として構成されている。なお、反射部５１，５２，５３，５４は、例えば、遮光性の部材によって構成されており、反射部５１，５２，５３，５４のいずれも、第２視野範囲ＡＲ２側の外面（即ち照明光を反射する反射面）が所定色（例えば、白色等の明色）であり、いずれも第２視野範囲ＡＲ２側の外面に入射する光を拡散反射させる構成となっている。
【００５３】
図１〜図３、図５、図７等に示すように、導光部材５０は、上下方向と直交する所定方向（幅方向）において互いに対向する一対の第１反射部５３，５４を備えている。そして、図５、図７のように、これら一対の第１反射部５３，５４において、一方の第１反射部５４の反射面は、所定方向（幅方向）において他方の反射部５３に近づくにつれて下位置となる傾斜面として構成され、他方の反射部５３の反射面は、所定方向において一方の反射部５４に近づくにつれて下位置となる傾斜面として構成されている。
【００５４】
より具体的には、図３、図５、図７のように、幅方向（上下方向と直交する所定の第１方向）において互いに対向する一対の第１反射部５３，５４と、図３、図４のように、前後方向（上下方向及び第１方向と直交する所定の第２方向）において互いに対向する一対の第２反射部５１，５２とが設けられている。そして、導光部材５０全体が、視野範囲の外側において、第２視野範囲ＡＲ２に沿って配置されており、下方位置となるにつれて孔の大きさ（開口領域）が狭くなるすり鉢状の構造となっている。このように、導光部材５０は、第２視野範囲ＡＲ２の外側において第２視野範囲ＡＲ２を囲む構成で環状に配置されており、且つ上端部５０ａが読取口５の内縁部に近接して配置されている。導光部材５０の上端部５０ａは、第２視野範囲ＡＲ２を囲む環状の端部構造となっており、このように環状に構成される上端部５０ａのいずれも、読取口５の内縁部の直下近傍に位置し、上端部５０ａのいずれの位置も、開口領域γの中心部よりも周縁部のほうが近くなっている。また、上端部５０ａのいずれの位置も、開口領域γでの視野範囲αの中心部Ｐ１よりも周縁部（境界線Ｐ２付近）のほうが近くなっている。
【００５５】
図３、図５、図７のように、一対の第１反射部５３，５４において、一方の第１反射部５４の反射面は、幅方向（第１方向）において他方の第１反射部５３に近づくにつれて下位置となる傾斜面として構成され、他方の第１反射部５３の反射面は、幅方向（第１方向）において一方の第１反射部５４に近づくにつれて下位置となる傾斜面として構成されている。更に、図３、図４のように、一対の第２反射部５１，５２において、一方の第２反射部５１の反射面は、前後方向（第２方向）において他方の第２反射部５２に近づくにつれて下位置となる傾斜面として構成され、他方の第２反射部５２の反射面は、前後方向（第２方向）において一方の第２反射部５１に近づくにつれて下位置となる傾斜面として構成されている。そして、照明光源２１は、一方の第１反射部５４、他方の第１反射部５３、一方の第２反射部５１、他方の第２反射部５２のいずれにも照明光を照射する構成となっている。なお、図３では、一方の第１反射部５４の領域を二点鎖線Ｊ１１で概念的に示し、他方の第１反射部５３の領域を二点鎖線Ｊ１２で概念的に示している。また、一方の第２反射部５１の領域を二点鎖線Ｊ２１で示し、他方の第２反射部５２の領域を二点鎖線Ｊ２２で示している。第１反射部５３の反射部は、ケース３の幅方向中心位置よりも幅方向一方側に配置され且つ第２視野範囲ＡＲ２の光軸Ｌ２よりも幅方向一方側に配置されており、幅方向の端部（第１光源２１ａ，２１ｂ寄りの端部）位置が、前後方向の長さが最も大きく、幅方向において第２視野範囲ＡＲ２の光軸Ｌ２側に近づくにつれて前後方向の長さが次第に小さくなっている。第１反射部５４の反射部は、ケース３の幅方向中心位置よりも幅方向他方側に配置され且つ第２視野範囲ＡＲ２の光軸Ｌ２よりも幅方向他方側に配置されており、幅方向の端部（第２光源２１ｃ，２１ｄ寄りの端部）位置が、前後方向の長さが最も大きく、幅方向において第２視野範囲ＡＲ２の光軸Ｌ２側に近づくにつれて前後方向の長さが次第に小さくなっている。第２反射部５１の反射部は、ケース３の前後中心位置よりも前後方向一方側に配置され且つ第２視野範囲ＡＲ２の光軸Ｌ２よりも前後方向一方側に配置されており、前後方向の端部（光軸Ｌ２とは反対側の端部）位置が、左右方向（幅方向）の長さが最も大きく、前後方向において第２視野範囲ＡＲ２の光軸Ｌ２側に近づくにつれて左右方向（幅方向）の長さが次第に小さくなっている。第２反射部５２の反射部は、ケース３の前後中心位置よりも前後方向他方側に配置され且つ第２視野範囲ＡＲ２の光軸Ｌ２よりも前後方向他方側に配置されており、前後方向の端部（光軸Ｌ２とは反対側の端部）位置が、左右方向（幅方向）の長さが最も大きく、前後方向において第２視野範囲ＡＲ２の光軸Ｌ２側に近づくにつれて左右方向（幅方向）の長さが次第に小さくなっている。
【００５６】
具体的には、図６、図８、図１０に示すように、第１光源２１ａ，２１ｂは、幅方向においてこれら第１光源２１ａ，２１ｂとは反対側（ケース３の幅方向中心位置に対して第１光源２１ａ，２１ｂとは反対側）に設けられた一方の第１反射部５４に向けて照明光を照射する構成となっており、第２光源２１ｃ，２１ｄは、幅方向においてこれら第２光源２１ｃ，２１ｄとは反対側（ケース３の幅方向中心位置に対して第２光源２１ｃ，２１ｄとは反対側）に設けられた他方の第１反射部５３に向けて照明光を照射する構成となっている。また、第１光源２１ａ，２１ｂは、幅方向（第１方向）において一方の第１反射部５４よりも他方の第１反射部５３に近い側に配置される他方側光源に相当し、第２光源２１ｃ，２１ｄは、幅方向（第１方向）において他方の第１反射部５３よりも一方の第１反射部５４に近い側に配置される一方側光源に相当する。そして、第２光源２１ｃ，２１ｄ（一方側光源）からの照明光が、他方の第１反射部５３及び一対の第２反射部５１，５２における第１反射部５３側（読取口５の幅方向中心位置よりも第１反射部５３側）の部分に対し、少なくともケース３の上下方向中心位置よりも上側の領域（望ましくは、各反射部のほぼ全体）に照射されるようになっている。また、第１光源２１ａ，２１ｂ（他方側光源）からの照明光が、一方の第１反射部５４及び一対の第２反射部５１，５２における第１反射部５４側（読取口５の幅方向中心位置よりも第１反射部５４側）の部分に対し、少なくともケース３の上下方向中心位置よりも上側の領域（望ましくは、各反射部のほぼ全体）に照射されるようになっている。なお、図１０では、第１光源２１ａからの照明光の照射エリアを太線の破線で概念的に示しており、第１光源２１ｂからの照明光の照射エリアを太線の実線で概念的に示しており、第２光源２１ｃからの照明光の照射エリアを太線の二点鎖線で概念的に示しており、第２光源２１ｄからの照明光の照射エリアを太線の一点鎖線で概念的に示している。
【００５７】
このように、第１光源２１ａ，２１ｂ及び第２光源２１ｃ，２１ｄから照射された照明光は、すり鉢状に構成された導光部材５０の壁面（第１反射部５３，５４及び第２反射部５１，５２の第２視野範囲ＡＲ２側の外面）に照射されるため、図１０のように平面視したときに、第１反射部５３，５４及び第２反射部５１，５２が全体的に明るく光ることになる。更に、図４、図５、図７のように、第１反射部５３，５４及び第２反射部５１，５２はいずれも、平面方向において視野範囲ＡＲ２の中心（光軸Ｌ２）側が下位置となる構成であり、光軸Ｌ２から遠い側が上位置となる構成となっている。このため、読取口５の開口領域γ（プレート７の上面において読取口５から露出する領域）において、この領域γ内の視野範囲α（図１０において境界線Ｐ２に囲まれる領域）では、周縁部付近（境界線Ｐ２付近）に近い導光部材５０の上端部５０ａ付近（第１反射部５３，５４及び第２反射部５１，５２の上端部付近）からの反射光がその周縁部付近（境界線Ｐ２付近）に届きやすくなる。よって、開口領域γ内の視野範囲α（図１０において境界線Ｐ２に囲まれる領域）では、当該視野範囲αの周縁部付近（境界線Ｐ２付近）の照度が当該視野範囲αの中心部Ｐ１付近の照度と比較して相対的に高くなる。一方、開口領域γにおける視野範囲αの中心部Ｐ１は、周縁部付近（境界線Ｐ２付近）と比較して第１反射部５３，５４及び第２反射部５１，５２からの距離が遠いため、第１反射部５３，５４及び第２反射部５１，５２で反射した照明光は、開口領域γにおいて視野範囲αの周縁部よりも中心部Ｐ１に届きにくくなる。よって、開口領域γ内の視野範囲α（図１０において境界線Ｐ２に囲まれる領域）では、中心部Ｐ１付近の照度が周縁部付近（境界線Ｐ２付近）の照度と比較して相対的に低くなる。なお、図１０では、開口領域γにおいて視野範囲αの中心部Ｐ１付近の照度よりも照度が高くなる高照度領域βをハッチング領域として概念的に示している。開口領域γでは、このように高照度領域βが構成されるため、開口領域γにおいてプレート７の上面に密着するように物体を配置した場合、この物体では、高照度領域βの位置の照度が相対的に大きく、中心部Ｐ１付近の照度が相対的に小さくなり、高照度領域βが中心部Ｐ１付近よりも相対的に明るくなる。
【００５８】
（外来ノイズ光の影響を抑える構成）
次に、外来ノイズ光の影響を抑えるための構成について説明する。
図１１には、図４のように切断した切断面（第１視野範囲ＡＲ１の中心となる第１光軸Ｌ１と、第２視野範囲ＡＲ２の中心となる第２光軸Ｌ２とを通る面で切断した切断面）における、プレート７、反射面２９ａ、読取口５、結像部２７、撮像部２３の位置関係を概念的に示している。なお、反射面２９ａは、反射部材２９のうちの上方側に露出する鏡面領域（反射領域）である。
【００５９】
本明細書では、図４、図１１のように第１視野範囲ＡＲ１の中心となる第１光軸Ｌ１と、第２視野範囲ＡＲ２の中心となる第２光軸Ｌ２とを通る面で切断した切断面において、反射部材２９の反射面２９ａの位置を通る直線を中心線Ｃ１とし、この中心線Ｃ１を中心としたときに視野範囲の主点Ｐａと線対称となる位置を第１仮想主点Ｐｂ１としている。この第１仮想主点Ｐｂ１は、図１１の切断面における第２視野範囲ＡＲ２の境界線（図１１では、２つの一点鎖線の直線で図示）の延長線上に位置している。そして、この切断面（図１１）において、プレート７の下面７ｂの位置を通る直線を中心線Ｃ２としたときに第１仮想主点Ｐｂ１と線対称となる位置を第２仮想主点Ｐｂ２としている。そして、中心線Ｃ１を中心としたときに第２仮想主点Ｐｂ２と線対称となる位置を第３仮想主点Ｐｂ３としている。なお、図１１では、第１仮想主点Ｐｂ１を起点とする第２視野範囲ＡＲ２のエリアを、中心線Ｃ２を中心として線対称にしたエリアを、第１の仮想視野範囲のエリア（第２仮想主点Ｐｂ２を起点とする二点鎖線で示すエリア）として示している。そして、第２仮想主点Ｐｂ２を起点とする第１の仮想視野範囲のエリア（第２仮想主点Ｐｂ２を起点とする二点鎖線で示すエリア）を、中心線Ｃ１を中心として線対称にしたエリアを、第２の仮想視野範囲のエリア（第３仮想主点Ｐｂ３を起点とする一点鎖線で示すエリア）として示している。この第２の仮想視野範囲のエリアは、このエリアにおいて斜め上方からの光がケース内に入り込んだ場合に、仮にこの光が中心線Ｃ１の位置で反射し、更に中心線Ｃ２の位置で反射したときに撮像部２３に映り込むことになるエリアである。
【００６０】
このように、第３仮想主点Ｐｂ３を定めた場合に、上記切断面（図４、図１１）において、第３仮想主点Ｐｂ３を起点として読取口５の一方の開口端部５ｄ（具体的には、第３仮想主点Ｐｂ３よりも遠い側の端部５ｄの上端位置）を通る第１の直線Ｌａ１と、第３仮想主点Ｐｂ３を起点として読取口５の他方の開口端部５ｃ（具体的には、第３仮想主点Ｐｂ３に近い側の端部５ｃの下端位置）を通る第２の直線Ｌａ２とを設定した場合に、これら第１の直線Ｌａ１と第２の直線Ｌａ２との間の領域に反射部材２９の反射面２９ａが配置されず、第１の直線Ｌａ１よりも下方に外れた位置のみに反射面２９ａ（反射部材２９において上方側に露出する鏡面領域）が配置されている。
【００６１】
このような位置関係で読取口５と反射部材２９の反射面２９ａを配置すると、上述の第２の仮想視野範囲において、ケース外から光が入り込む可能性のあるエリア（直線Ｌａ１と直線Ｌａ２の間の範囲）からケース３の内部に光が入り込んだとしても、その入り込んだ先に反射面２９ａが存在しないことになる。従って、このエリアから入り込んだ光が反射面２９ａで反射し、更に下面７ｂで反射して撮像部２３に映り込むようなことがない。また、第２の仮想視野範囲以外且つ第２視野範囲ＡＲ２以外のエリアからケース内に光が入り込み、その外来光が反射部材２９で反射し、その反射光がプレート７の裏面で鏡面反射したとしても、プレート７での鏡面反射光が撮像部２３に映り込みにくくなる。従って、外来光の映り込みに起因して情報コードＣが不鮮明に撮像される問題等をより確実に抑制することができ、外来光の映り込みに起因するデコード不良をより確実に低減することができる。
【００６２】
逆に、このような位置関係とせずに、図１４のように、反射部材２９の反射面２９ａを第１の直線Ｌａ１よりも上方まで延ばした場合、第３仮想主点Ｐｂ３を起点とする上述の第２の仮想視野範囲（特に、第１の直線Ｌａ１と第２の直線Ｌａ２との間の領域）内に反射面２９ａが存在することになり、図１４の第１の直線Ｌａ１と直線Ｌａ２’の範囲から外来光が入り込んで反射面２９ａで反射した場合、その反射光がプレート７の裏面（下面７ｂ）で鏡面反射したときに、鏡面反射光が撮像部２３で受光されてしまう経路となってしまう。本構成では、図１１のように、反射面２９ａを第１の直線Ｌａ１から下方に外しているため、このような外来光の映り込みを防ぐことができ、仮に、視野範囲外から反射面２９ａに外来光が入り込んでその反射光がプレート７の裏面（下面７ｂ）で鏡面反射したときでも、その鏡面反射光の経路が撮像部２３に受光されにくい経路となる。
【００６３】
（操作部の構成）
上述したように、図１等に示す情報コード読取装置１は、ケース３と、ケース３の内部に収容される撮像部２３と、撮像部２３で撮像可能となる視野範囲を定めると共に、ケース３の外部において視野範囲に情報コードＣが配置されたときに当該情報コードＣの像を撮像部２３に結像させる結像部２７と、撮像部２３によって情報コードＣが撮像された場合に、当該情報コードＣの撮像画像を解析して読取処理を行う読取部と、を備えている。そして、ケース３は、所定の上下方向の一方側（上方側）に、光の出入口となる読取口５が形成された読取側壁部（上面部）３ａが設けられ、上下方向の他方側（下方側）には、載置面Ｆへの載置時に当該載置面Ｆ側に面すると共に、当該載置面Ｆによって支持される底壁部（下面部）３ｂが設けられている。
【００６４】
そして、この読取装置１は、図１２〜図１４で示すように、ケース３の底壁部３ｂ（下面部）に、ケース３の外部からの操作が可能となるように操作部１００が配置されている。
この操作部１００は、押圧操作が可能なボタン部１０１を備えており、このボタン部１０１を押す操作がなされたときに、所定の操作信号（押圧信号）を制御回路４０に入力するように構成されている。
【００６５】
図１２〜図１４で示す操作部１００は、撮像部２３による撮像処理又は読取部による読取処理の少なくともいずれかの開始条件となるトリガボタンとして構成されている。例えば、後述する第１モードの場合、電源投入後、操作部１００に対する押圧操作がなされたときに撮像部２３による撮像処理が開始されるようになっており、このような撮像処理の開始後に情報コードが撮像された場合に、この情報コードの撮像画像を公知の方法で解読し、デコードを行うようになっている。
【００６６】
例えば、操作部１００に対する押圧操作がなされた後に実行される撮像処理により、情報コードとしてＱＲコード（登録商標）が撮像された場合には、このＱＲコードの撮像画像から公知の方法でファインダパターンを検出し、ＱＲコードの外形（境界）を検出する。そして、検出された境界内において各セルの明暗を判別し、公知の方法でデコードを行うことになる。或いは、情報コードとしてバーコードが撮像された場合には、このバーコードの撮像画像を解析してバーやスペースの配列を把握し、その配列に基づいて公知の方法でデータを取得する。
【００６７】
なお、後述する第２モードの場合には、例えば操作部１００に対する操作を無効化するようになっている。具体的には、第２モードでは、操作部１００に対する所定操作がなされなくても情報コードの読み取りが行われるようになっている。例えば、電源投入後、第２モードになった時点（例えば、後述するセンサ部４２によって所定状態（ケース３が載置面から離れた状態）が検出されなくなった時点）から撮像部２３による撮像処理が継続的に行われ、このような継続的な撮像処理により情報コードの撮像画像が得られた場合に、この情報コードを解読するようになっている。
【００６８】
図１２、図１３で示すように、ケース３は、上下方向と直交する所定方向が長手方向とされ、長手方向において一対の第１側壁部３ｄ，３ｅが対向している。これら一対の第１側壁部３ｄ，３ｅはいずれも、側壁部３ｃの一部をなしており、短手方向（前後方向）に直線状に延びている。更に、上下方向及び長手方向と直交する短手方向において一対の第２側壁部３ｆ，３ｇが対向している。これら一対の第２側壁部３ｆ，３ｇはいずれも、側壁部３ｃの一部をなしており、長手方向（横方向）に直線状に延びている。
【００６９】
そして、図１４で示すように、操作部１００は、ケース３の長手方向において、一対の第１側壁部３ｄ，３ｅの各々までの距離よりも長手方向におけるケース３の中心位置までの距離のほうが小さくなるように中心位置寄りに配置されている。なお、図１４では、長手方向の中心位置を一点鎖線Ａ１で示しており、短手方向の中心位置を一点鎖線Ａ２で示している。具体的には、操作部１００を構成するボタン部１０１から長手方向の中心位置Ａ１までの距離の方が、ボタン部１０１から第１側壁部３ｄまでの距離よりも小さく、且つボタン部１０１から第１側壁部３ｅまでの距離よりも小さくなっている。そして、操作部１００を構成するボタン部１０１は、一対の第２側壁部３ｆ，３ｇから離れた位置に配置されている。
【００７０】
また、本構成では、一対の第１側壁部３ｄ，３ｅのいずれか一方側（具体的には、第１側壁部３ｅ側）において、少なくともこの一方側の第１側壁部からケース３の外側に延びる形でケーブル１１０が配置されている。そして、操作部１００は、ボタン部１０１の全体が、ケース３の長手方向における中心位置Ａ１よりも、一対の第１側壁部３ｄ，３ｅのいずれか他方側（具体的には、第１側壁部３ｄ側）に寄って配置されている。また、図１４で示すように、ケース３の短手方向の全範囲をＬ１とし、短手方向中心寄りの７０％の範囲（Ｌ１の長さの７０％の範囲）をＬ２とした場合、操作部１００を構成するボタン部１０１は、このＬ２の範囲に収まっていることが望ましい。
【００７１】
また、本構成では、制御回路４０がモード切替部に相当し、撮像部２３及び読取部によってなされる情報コードの読み取り制御のモードを、操作部１００に対して所定操作（例えば押圧操作）がなされることを条件として情報コードの読み取りが行われる第１モードと、操作部１００に対する所定操作（例えば押圧操作）がなされなくても情報コードの読み取りが行われる第２モード、とに切り替え可能となっている。
【００７２】
具体的には、センサ部４２により、ケース３が載置面Ｆから離間した所定状態を検出するように構成されており、モード切替部に相当する制御回路４０は、センサ部４２によって所定状態（ケース３が載置面から離れた状態）が検出された場合に第１モードに切り替え、センサ部４２によって所定状態が検出されない場合に第２モードに切り替える構成となっている。例えば、センサ部４２を距離センサとして構成し、底壁部３ｂ（下面部）の所定位置から上下方向一方側（下方側）への向きを検出方向とした場合、底壁部３ｂの下面側に面する物体までの上下方向の距離を検出することができる。このように構成した場合、センサ部４２によって検出される距離（底壁部３ｂの下面側の物体までの距離）が所定の閾値以上の場合には、ケース３が載置面Ｆから離間した「所定状態」であると判定し、センサ部４２によって検出される距離（底壁部３ｂの下面側の物体までの距離）が所定の閾値未満の場合には、ケース３が載置面Ｆから離間していない状態（「所定状態」ではない）と判定すればよい。つまり、この構成では、センサ部４２によって検出される距離が閾値以上の場合には、制御回路４０によって第１モードに設定され、センサ部４２によって検出される距離が閾値未満の場合には、制御回路４０によって第２モードに設定されることになる。
【００７３】
なお、ここでは、第１モードと第２モードとを切り替える一例を示したが、切り替えるための構成は上述した例に限られない。例えば、電源投入後、デフォルトで第２モードとし、操作部１００が１回操作されたときに第１モードに切り替えるようにしてもよい。
【００７４】
（本構成の効果の例）
本構成に係る読取装置１によれば、載置面Ｆに載置した上での読み取りも、手で把持した上での読み取りも可能な構成となっている。例えば、載置面Ｆに載置して使用するときには、上方側に読取口５が配置されることになるため、上面側に情報コードＣを翳すような読み取り作業が行いやすくなる。また、ケース３の底壁部（下面部）３ｂにおいて、ケース３の外部からの操作が可能となるように操作部１００が配置されているため、装置を把持して使用するときには、把持しながら操作部１００を操作することが可能となり、操作部１００を用いての読み取り関連作業が行い易くなる。例えば、読取口５を鉛直下方側に向けて読取関連作業を行う場合、鉛直上方側に配置された操作部１００に対して指で操作を行い易くなるため、操作部１００と関連付けた読取関連作業を効率的に行うことができる。なお、その他の把持姿勢の場合でも、同様の効果が得られる。
【００７５】
また、操作部１００は、撮像部２３による撮像処理又は読取部による読取処理の少なくともいずれかの開始条件となるトリガボタンとして構成されている。この構成では、装置を把持して使用するときには、把持しながらのトリガ操作が可能となり、撮像処理又は読取処理の少なくともいずれかを、操作部１００に対するトリガ操作によって円滑に開始することができる。
【００７６】
具体的には、店舗などにおいて読み取り作業を行う場合、使用者が翳して使用すべき時期には据置状態で使用することができ、カウンター台などに載置されたラベルや免許証などを手で持って読み取りたい場合には、載置された装置を裏返して把持すれば、円滑に読み取り操作を行うことができる。また、その読み取りのトリガ操作を操作部１００によってスムーズに行うことができるため、使用者の利便性が高まる。
【００７７】
また、本構成では、ケース３の内部において読取口５の下方側に配置されると共に、上下方向と直交する平面方向に対して傾斜して配置される反射面２９ａを備え、ケース３の外部から読取口５を介して入り込む光を反射面２９ａで反射させる反射部材２９が設けられている。そして、結像部２７は、ケース３の外部から読取口５を通過して入り込み且つ反射部材２９で反射した光を撮像部２３に導く構成をなしている。
【００７８】
このように、ケース３内に反射部材２９を介在させ、結像部２７からケース３外まで続く視野範囲の経路（即ち、読取口５から入り込んだ光を結像部２７に導く経路）をケース３内において折れ曲がるように構成することで、ケース３の厚さをそれほど大きくしなくても、光学系から読取口５までの距離（読取口５から入り込んだ光が結像部２７に入り込むまでの経路の長さ）を大きく確保しやすくなる。これにより、読取口５付近の視野範囲をより大きく確保しつつ、ケース３の厚さを低減して小サイズ化を図ることができる。そして、このように小サイズ化を図ることで、把持しながらの操作をより行い易くすることができる。例えば、細かな位置合わせの操作や狭い場所での作業などが非常に行い易くなる。更には、ケース３が薄型化されるため、厚さが大きい構成と比較して装置が把持しやすく、且つ操作部１００に対する操作も行い易くなる。
【００７９】
また、撮像部２３及び読取部によってなされる情報コードの読み取り制御のモードを、操作部１００に対して所定操作がなされることを条件として情報コードの読み取りが行われる第１モードと、操作部１００に対する所定操作がなされなくても情報コードの読み取りが行われる第２モード、とに切り替え可能なモード切替部を有する。
【００８０】
この構成によれば、モード切替部により、操作部１００を使用して読み取りを行うモード（第１モード）と、操作部１００を使用せずに読み取りを行うモード（第２モード）とを切り替えることができるため、操作部１００を使用するか否かを使用者に用途に合わせて切り替えることができる。
【００８１】
また、ケース３が載置面Ｆから離間した所定状態を検出するセンサ部４２を備え、モード切替部は、センサ部４２によって所定状態が検出された場合に第１モードに切り替え、センサ部によって所定状態が検出されない場合に第２モードに切り替える構成となっている。この構成では、使用者によってケース３が把持され、ケース３が載置面Ｆから離間した場合（図１２、図１３のような場合）には、その状態をセンサ部４２によって検出し、モード切替部によって自動的に第１モード（操作部１００に対して所定操作がなされることを条件として情報コードの読み取りが行われるモード）に切り替えることができる。よって、使用者がケース３を把持して読み取りを行う場合には、複雑な操作をなるべく強いることなく、操作部１００を使用して読み取りを行う方式で運用することができる。
【００８２】
また、使用者によってケース３が把持されず、ケース３が載置面Ｆに載置されている場合（図４のような場合）には、モード切替部によって自動的に第２モード（操作部１００に対する所定操作がなされなくても情報コードの読み取りが行われる）に切り替えることができる。よって、使用者がケース３を把持せずに載置状態で読み取りを行う場合には、複雑な操作をなるべく強いることなく、操作部１００を使用しない方式で運用することができる。
【００８３】
また、ケース３は、上下方向と直交する所定方向が長手方向とされ、長手方向において一対の第１側壁部３ｄ，３ｅが対向し、上下方向及び長手方向と直交する短手方向において一対の第２側壁部３ｆ，３ｇが対向している。そして、操作部１００は、ケース３の長手方向において、一対の第１側壁部３ｄ，３ｅの各々までの距離よりも長手方向におけるケース３の中心位置までの距離のほうが小さくなるように中心位置寄りに配置されており、且つ、一対の第２側壁部３ｆ，３ｇから離れた位置に配置されている。
【００８４】
このように構成すると、図１２、図１３のようにケース３の短手方向両端部を挟み込むようにケース３を掴んだとき（例えば、一方の第２側壁部３ｆ，３ｇを親指Ｆ１で受け、他方の第２側壁部３ｆ，３ｇを中指Ｆ３、薬指Ｆ４、小指Ｆ５などで受けるように掴んだとき）に、掴むことに用いていない指（例えば人差し指Ｆ２）で操作部１００を操作しやすい位置関係となる。
【００８５】
また、本構成では、一対の第１側壁部３ｄ，３ｅのいずれか一方側（具体的には、第１側壁部３ｅ側）において、ケース３の外側に延びる形でケーブル１１０が配置されている。そして、操作部１００は、ケース３の長手方向における中心位置よりも、一対の第１側壁部３ｄ，３ｅのいずれか他方側（具体的には、第１側壁部３ｄ側）に寄って配置されている。この構成では、図１２、図１３のように、ケース３の短手方向両端部を挟み込み且つケーブルが手首Ｈ側に配置されるようにケース３を掴んだときに、掴むことに用いていない指（例えば人差し指）で操作部１００を操作しやすい位置関係となる。つまり、ケーブル１１０が極力邪魔になりにくい把持状態のときに、操作部１００を指で操作しやすくなる。
【００８６】
［他の実施形態]
本発明は上記記述及び図面によって説明した実施形態に限定されるものではなく、例えば次のような実施形態も本発明の技術的範囲に含まれる。
【００８７】
据置構造として、載置面に載置する方法、使用者が手に持って使用する方法とを併用できる例を示したが、これらの２方法以外の方法（壁に取り付けて使用する方法）が併用できる構成であってもよい。
【００８８】
上記実施形態では、ケース３の下面部にトリガボタンとして構成された操作部１００が設けられた例を示したが、操作部１００の配置位置は底壁部３ｂ（下面部）に限定されず、ケース３の外面部における読取側壁部３ａ（上面部）以外の位置においてケース３の外部からの操作が可能となるように配置されていればよい。いずれの場合でも、撮像部２３による撮像処理又は読取部による読取処理の少なくともいずれかの開始条件となるトリガボタンとして用いることができる。
【００８９】
上記実施形態では、操作部１００に対して所定操作がなされた場合に撮像部２３による撮像処理を開始する例を示したが、操作部１００に対する所定操作がなされる前から撮像処理が継続的に行われ、操作部１００に対して所定操作がなされた時点での撮像画像を解析するように読取処理が実行されるようにしてもよい。或いは、照明光源２１が消灯している状況下で操作部１００に対して所定操作がなされた場合に照明光源２１を点灯させるようにしてもよい。
【００９０】
上記実施形態では、センサ部４６によって所定状態（ケース３が載置面から離れた状態）を検出する一例を示したが、その他の方法で検出してもよい。例えば、センサ部４６を接触センサとして構成すると共に、載置面に接触可能となる位置に配置してもよい。この場合、センサ部４６によって接触状態が検出されている場合には、所定状態（ケース３が載置面から離れた状態）ではないと判定し、センサ部４６によって接触状態が検出されていない場合には、所定状態（ケース３が載置面から離れた状態）であると判定すればよい。
【符号の説明】
【００９１】
１…据置型情報コード読取装置
３…ケース
３ａ…読取側壁部（上面部）
３ｂ…底壁部（下面部）
３ｄ，３ｅ…第１側壁部
３ｆ，３ｇ…第２側壁部
５…読取口
２３…撮像部
２７…結像部
２９…反射部材
２９ａ…反射面
４０…制御回路（読取部、モード切替部）
４２…センサ部
１００…操作部
１１０…ケーブル
ＡＲ１…第１視野範囲（視野範囲）
ＡＲ２…第２視野範囲（視野範囲）
Ｃ…情報コード
Ｆ…載置面
【要約】
【課題】載置面に載置した上での読み取りも、手で把持した上での読み取りも可能な構成であり、載置面に載置して使用するときには、上面側に情報コードを翳すような読み取り作業が行いやすく、装置を把持して使用するときには、操作部を用いての読み取り作業が行いやすい構成を提供する。
【解決手段】読取装置１は、ケース３の内部において、撮像部２３と、撮像部２３で撮像可能となる視野範囲を定めると共に、ケース３の外部において視野範囲に情報コードＣが配置されたときに当該情報コードＣの像を撮像部２３に結像させる結像部２７と、撮像部２３によって情報コードＣが撮像された場合に、当該情報コードＣの撮像画像を解析して読取処理を行う読取部とが設けられている。そして、ケース３の下面部には、ケース３の外部からの操作が可能となるように配置された操作部１００が設けられている。
【選択図】図１１【図１】
0005967325.tif 000002
【図２】
0005967325.tif 000003
【図３】
0005967325.tif 000004
【図４】
0005967325.tif 000005
【図５】
0005967325.tif 000006
【図６】
0005967325.tif 000007
【図７】
0005967325.tif 000008
【図８】
0005967325.tif 000009
【図９】
0005967325.tif 000010
【図１０】
0005967325.tif 000011
【図１１】
0005967325.tif 000012
【図１２】
0005967325.tif 000013
【図１３】
0005967325.tif 000014
【図１４】
0005967325.tif 000015